(57)【要約】【課題】従来のガスコンロでは、元弁に開弁故障が生じた場合にはそれ以降の点火を禁止するので安全上は問題ないが、それ以降ガスコンロを全く使用できないので、例えば調理中であったり調理前に点火禁止状態になると、開弁故障が解消されるまで湯沸かしすらできないという不具合が生じる。【解決手段】元弁を、モータによって進退する可動電磁石と、この可動電磁石に吸着された状態で開弁保持される弁体と、可動電磁石による吸着力が消滅すると弁体を閉弁方向に駆動するバネとを備えたモータ安全弁で構成し、バネによる駆動ではガスバーナが消火しない場合であって、モータによって可動電磁石を弁体側に移動させ可動電磁石で弁体を閉弁方向に押すことによってガスバーナが消火した場合には、以後の点火を禁止せず継続して使用を許可する。【選択図】  図３
2015014415.tif 000002
【特許請求の範囲】
【請求項１】
ガスの供給管に１個の元弁を設け、この元弁の下流を複数のガスバーナの各々にガスを供給する並列な分岐管に分岐させると共に、各分岐管に電磁安全弁を設けて、各ガスバーナを個別に消火する際には電磁安全弁を閉弁するが、単独で燃焼中のガスバーナを消火する際には、電磁安全弁は開弁したままで上記元弁に閉弁指令を発し、この閉弁指令によってガスバーナを消火できない場合には電磁安全弁を閉弁させると共に以後の点火を禁止するガスコンロにおいて、上記元弁を、モータによって進退する可動電磁石と、この可動電磁石に吸着された状態で開弁保持される弁体と、可動電磁石による吸着力が消滅すると弁体を閉弁方向に駆動するバネとを備えたモータ安全弁で構成し、単独で燃焼中のガスバーナを消火する際には可動電磁石の吸着力を消滅させバネによって弁体を閉弁方向に駆動すると共に、バネによる駆動ではガスバーナが消火しない場合であって、モータによって可動電磁石を弁体側に移動させ可動電磁石で弁体を閉弁方向に押すことによってガスバーナが消火した場合には、以後の点火を禁止せず継続して使用を許可することを特徴とするガスコンロ。
【請求項２】
上記バネによる弁体の駆動ではガスバーナが消火しない場合にはエラー報知を行うと共に、以後の使用が許可され、次回の消火操作時にバネによる駆動でガスバーナが消火した場合には、エラー報知を解除することを特徴とする請求項１に記載のガスコンロ。
【請求項３】
バネによる弁体の駆動でガスバーナが消火しない状態が継続して所定回数生じた場合には、以後の点火を禁止することを特徴とする請求項１または請求項２に記載のガスコンロ。
【請求項４】
上記バネによる弁体の駆動でガスバーナが消火しなかった履歴をメモリに記録することを特徴とする上記請求項１から請求項３のいずれかに記載のガスコンロ。
【発明の詳細な説明】
【技術分野】
【０００１】
本発明は、複数個のガスバーナを備えたガスコンロに関する。
【背景技術】
【０００２】
従来のこの種のガスコンロは、複数個のガスバーナの各々にガスを供給する分岐管が並列に設けられており、この分岐管は１本の元管から分岐されている。元管には元弁が設けられている。また、各分岐管には流量を増減して火力調節するための火力調節部の他に分岐管を閉鎖して対応するガスバーナへのガスの供給を遮断する電磁安全弁が設けられている。
【０００３】
この電磁安全弁は内部に電磁石と、閉弁方向にバネで付勢された弁体とを備えている。開弁する際は外部からの力で弁体を電磁石側に移動させ、電磁石で弁体を吸着保持する。閉弁する際には電磁石への通電を停止させ吸着力を消滅させることにより、バネの付勢力で弁体を駆動して閉弁させる。
【０００４】
複数のガスバーナが燃焼状態の場合に、個別にガスバーナを消火する際には、消火したいガスバーナにガスを供給している分岐管の電磁安全弁を閉弁させる。ただし、元弁に開弁故障、すなわち元弁に閉弁指令を発しても完全に閉弁しない故障が生じているかをチェックするため、いずれかのガスバーナが単独で燃焼している状態で、そのガスバーナを消火する際には、対応する電磁安全弁を閉弁させるのではなく元弁に閉弁指令を発し、その閉弁指令によってガスバーナが消火すれば、元弁に開弁故障が生じていないと判断するものが知られいている（例えば、特許文献１参照）。
【０００５】
このものでは、仮に元弁に開弁故障が生じていると判断した場合、すなわち、単独で燃焼しているガスバーナを消火する際に元弁に閉弁指令を発してもガスバーナが消火しない場合には、そのガスバーナに対応する電磁安全弁を閉弁させた後、以後の点火操作を一切禁止してガスコンロが使用できないように制御される。
【先行技術文献】
【特許文献】
【０００６】
【特許文献１】特開２０１０−１４３３６号公報（段落［００２０］）
【発明の概要】
【発明が解決しようとする課題】
【０００７】
上記従来のガスコンロでは、元弁に開弁故障が生じた場合にはそれ以降の点火を禁止するので安全上は問題ないが、それ以降ガスコンロを全く使用できないので、例えば調理中であったり調理前に点火禁止状態になると、点検修理を行って開弁故障が解消されるまで湯沸かしすらできないという不具合が生じる。
【０００８】
ただし、元弁に開弁故障が生じた後も点火を許可し続ければ、ガスバーナへのガスの供給を遮断する手段が電磁安全弁だけになるため、直ちに危険ではないものの使用の継続を許容することはできない。
【０００９】
そこで本発明は、上記の問題点に鑑み、元弁に開弁故障が生じても安全性を確保しつつ使用を継続することのできるガスコンロを提供することを課題とする。
【課題を解決するための手段】
【００１０】
上記課題を解決するために本発明によるガスコンロは、ガスの供給管に１個の元弁を設け、この元弁の下流を複数のガスバーナの各々にガスを供給する並列な分岐管に分岐させると共に、各分岐管に電磁安全弁を設けて、各ガスバーナを個別に消火する際には電磁安全弁を閉弁するが、単独で燃焼中のガスバーナを消火する際には、電磁安全弁は開弁したままで上記元弁に閉弁指令を発し、この閉弁指令によってガスバーナを消火できない場合には電磁安全弁を閉弁させると共に以後の点火を禁止するガスコンロにおいて、上記元弁を、モータによって進退する可動電磁石と、この可動電磁石に吸着された状態で開弁保持される弁体と、可動電磁石による吸着力が消滅すると弁体を閉弁方向に駆動するバネとを備えたモータ安全弁で構成し、単独で燃焼中のガスバーナを消火する際には可動電磁石の吸着力を消滅させバネによって弁体を閉弁方向に駆動すると共に、バネによる駆動ではガスバーナが消火しない場合であって、モータによって可動電磁石を弁体側に移動させ可動電磁石で弁体を閉弁方向に押すことによってガスバーナが消火した場合には、以後の点火を禁止せず継続して使用を許可することを特徴とする。
【００１１】
元弁に開弁故障が生じる場合とは、弁体と弁座との間にゴミなどが噛み込み、弁座に弁体が密着せず隙間が生じる場合や、弁体を吸着保持している電磁石への通電を停止して吸着力を消滅させても弁体が電磁石から離れない場合が考えられる。このような場合に可動電磁石を移動させて弁体を弁座に押し付ければガスを遮断できる場合がある。また、ゴミの噛み込みや弁体が電磁石から離れないという不具合がこのとき解消することも考えられる。そこで、可動電磁石で弁体を押すことによってガスを遮断できれば、開弁故障の原因が解消されなかったとしても再び可動電磁石で弁体を押すことによってガスを遮断できるので、それ以降の点火を禁止することなく、使用し続けるようにした。なお、開弁故障の原因が解消されればそれ以降は正常に使用し続けることができる。
【００１２】
なお、上記バネによる弁体の駆動ではガスバーナが消火しない場合にはエラー報知を行うと共に、以後の使用が許可され、次回の消火操作時にバネによる駆動でガスバーナが消火した場合には、エラー報知を解除すれば、正常な状態に戻った状態でエラー報知がされ続けるという状態を解消することができる。
【００１３】
ただし、可動電磁石を弁体に押し付けてガスの遮断ができたとしても開弁故障が依然として解消されない状態で使用し続けることは望ましくない。そこで、バネによる弁体の駆動でガスバーナが消火しない状態が継続して所定回数生じた場合には、以後の点火を禁止することが望ましい。
【００１４】
なお、開弁故障が解消された状態で点検修理する際に、履歴が分かることが望ましい。そこで、上記バネによる弁体の駆動でガスバーナが消火しなかった履歴をメモリに記録することが望まれる。
【発明の効果】
【００１５】
以上の説明から明らかなように、本発明は、元弁に開弁故障が生じても一律にそれ以降の点火を禁止せず、使用し続けることができる。
【図面の簡単な説明】
【００１６】
【図１】本発明によるガスコンロの外観図
【図２】ガスコンロの構成を示すブロック図
【図３】元弁の構造を示す断面図
【図４】ガスコンロの制御を示すフロー図
【発明を実施するための形態】
【００１７】
図１を参照して、１は本発明によるガスコンロであり、上面である天板には３個のガスバーナ、すなわち、大バーナ１１、中バーナ１２、小バーナ１３が設けられている。そして、前面には中央のグリル庫を挟んで左右に点消火ボタン２が設けられている。この点消火ボタン２は、ガスバーナが消火状態ではガスコンロ１の前面に埋没しており、点火する際に少し押し込むと、ロックが解除されて前方に突出する。その突出によって図示しない点火スイッチがＯＮになり、ガスバーナに点火される。点消火ボタン２を左右に回動すると火力が増減し、消火する際には点消火ボタン２をガスコンロ１の前面に押し込む。なお、１０は電源スイッチである。
【００１８】
図２を参照して、１４はグリル部内に設けられているグリルバーナである。これら各バーナ１１、１２、１３、１４に各々ガスを供給する分岐管１１ａ、１２ａ、１３ａ、１４ａが並列に設けられており、これら４本の分岐管１１ａ、１２ａ、１３ａ、１４ａは全てモータ安全弁（元弁）４に連結されている。また、大バーナ１１へガスを供給する分岐管１１ａを例に説明すると、この分岐管５には火力調節装置５が介設されている。この火力調節装置５内には上記点消火ボタン２の回動に連動して、分岐管１１ａを通って大バーナ１１に供給されるガス量を増減する火力調節部５１と、電磁安全弁５２とが設けられている。
【００１９】
この電磁安全弁５２には電磁石と、この電磁石に吸着保持される弁体と、弁体を閉弁方向に付勢するバネとが設けられている。上記点消火ボタン２を埋没状態から一旦押し込んで点火操作を行うと、図示しないロッドがモータによって駆動され、そのロッドが弁体をバネの付勢力に抗して電磁石側に押し、弁体を電磁石に押し付ける。その状態で点火プラグ１１ｂが発する火花によって大バーナ１１が点火し、コントローラ３がその点火を熱電対３１からの熱起電力により検知すると、電磁安全弁５２の電磁石にコントローラ３から通電して弁体を吸着保持する。
【００２０】
上記点消火ボタン２を押し込んで消火操作を行うと、コントローラ３は電磁安全弁５２の電磁石への通電を停止する。すると電磁石の吸着力が消滅するので、弁体はバネの付勢力によって閉弁方向に駆動され、大バーナ１１へのガスの供給を遮断する。なお、ガスの供給が遮断されると大バーナ１１は消火し、コントローラ３は大バーナ１１が消火したことを熱電対３１の熱起電力の低下から検知する。
【００２１】
図３を参照して、上記モータ安全弁４は上部に駆動コイル４１とロータ４２とからなるステッピングモータ部を備えている。駆動コイル４１に駆動パルスを供給するとロータ４２は正逆方向にパルス数に応じた角度回転する。ロータ４２の中心にはロータ４２に螺合するネジ棒４３があり、ネジ棒４３は回り止めされているので、ロータ４２が回転することによりネジ棒４３が上下に移動する。
【００２２】
ネジ棒４３の下端には可動電磁石４４が取り付けられている。また、可動電磁石４４の下方には弁体４５が設けられており、弁体４５と可動電磁石４４との間には弁体４５を弁口４５ａに向かって付勢するバネ４６が設けられている。図示の状態では弁体４５によって弁口４５ａが閉塞されているので、モータ安全弁４は閉弁状態にある。４５ｂは弁体４５に連結された可動鉄片である。
【００２３】
その状態からロータ４２を回転させて可動電磁石４４を図において下方に移動させると、可動電磁石４４は可動鉄片４５ｂに当接し、さらに可動電磁石４４を下げると弁体４５は弁口４５ｂに密着すると共に、可動電磁石４４は可動鉄片４５ｂに密着する。その状態で可動電磁石４４に通電して励磁すると、可動鉄片４５ｂは可動電磁石４４に吸着される。そして可動電磁石４４に通電したままロータ４２を逆転させ可動電磁石４４を引き上げると、可動鉄片４５ｂが可動電磁石４４に吸着保持されているので弁体４５も一体となって引き上げられて弁口４５ａが開口する。すなわち、モータ安全弁４は開弁状態になる。そしてその開弁状態で可動電磁石４４への通電を停止すると、バネ４６の付勢力により弁体４５は弁口４５ａに向かって駆動され、図３に示す閉弁状態に戻る。
【００２４】
図４を参照して、本図に示すフローは電源スイッチ１０がオフの状態、すなわち全てのガスバーナが消火状態でモータ安全弁４及び全ての電磁安全弁（５２およびその他）が閉弁している状態で、大バーナ１１に点火し、その後消火する場合を示している。
【００２５】
上記電源スイッチ１０がＯＮにされると（Ｓ１）、制御プログラム中に設定されている変数であるフラグＦの値をコントローラ３内のメモリから読み出してくる。このメモリとはＲＯＭではなく、後述するＥＥＰＲＯＭで有り書き込まれているＦの値は逐次書き換えられるが、工場出荷時点に書き込まれている初期値はＦ＝０である（Ｓ２）。Ｆを読み出した後、点消火ボタン２が押されて点火スイッチがＯＮになるまで待機する。点火スイッチがＯＮになると（Ｓ３）、電磁安全弁５２を開弁すると共にモータ安全弁４を開弁させる（Ｓ４）。これにより大バーナ１１にはガスが供給され、上記の点火プラグ１１ｂによって大バーナ１１に点火される。
【００２６】
大バーナ１１による調理が終了して点消火ボタン２が押し込まれると、点火スイッチがオフになる（Ｓ５）。他のガスバーナが点火状態であれば電磁安全弁５２を閉弁させて大バーナ１１のみを消火させるが、大バーナ１１のみが点火されている状態で消火操作がされると、電磁安全弁５２は開弁状態を維持したまま、モータ安全弁４の可動電磁石４４への通電を停止してモータ安全弁４を閉弁させる（Ｓ６）。
【００２７】
その動作によって大バーナ１１が消火すればモータ安全弁４に開弁故障が生じていないと判断して（Ｓ７）、電磁安全弁５２を閉弁させる（Ｓ８）。そして、次のステップでフラグＦを０にリセットする。ただし、この状態ではＦ＝０であるからＦの値は変わらずＦ＝０のままである（Ｓ９）。
【００２８】
エラー報知を解除して（Ｓ１０）ステップＳ３に戻るが、この時点ではエラー報知はされていないので、エラー報知を解除するステップＳ１０が実行されても何ら状態は変化しない。
【００２９】
次に、ステップＳ７に戻って説明を継続すると、モータ安全弁４の可動電磁石４４への通電を停止しても大バーナ１１が消火しないと、モータ安全弁４に開弁故障が生じたことになる。従来はここで直ちに電磁安全弁５２を閉弁させて以後の点火を禁止したが、本発明ではロータ４２を回転させて可動電磁石４４を可動鉄片４５ｂに向かって移動させる。そして、可動電磁石４４で可動鉄片４５ｂを押して弁体４５を弁口４５ａに密着させる（Ｓ１１）。
【００３０】
この操作により大バーナ１１が消火すれば、さらにガスコンロ１の継続使用を許可する（Ｓ１２）。そして、次の点火に備えて電磁安全弁５２を閉弁させたあと（Ｓ１３）、Ｆに１を加え（Ｓ１４）エラー報知を行う（Ｓ１６）。なお、Ｆ＝３であればステップＳ１５からステップＳ１８に流れるが、現時点ではＦ＝１であるから、エラー報知をしたままの状態でステップＳ３に戻る。
【００３１】
再度点火操作がされ、そして消火操作がされ（Ｓ５）、大バーナ１１の消火が確認されると（Ｓ７）、前回モータ安全弁４に開弁故障が生じていたとしてもその開弁故障は解消したものとしてＦを０に戻し（Ｓ９）、エラー報知を解除する（Ｓ１０）。なお、ステップＳ１２で消火が確認できない場合には従来と同じく電磁安全弁５２を閉弁したあと（Ｓ１７）、その後の使用を禁止することとした（Ｓ１８）。
【００３２】
また、ステップＳ１２で消火が確認できた場合であっても、３回連続して開弁故障が生じると、ステップ１４でＦ＝３となるので、その後の使用を禁止することとした（Ｓ１８）。そして、上述の履歴は全てコントローラ３に内蔵されたＥＥＰＲＯＭに書き込み、後の点検修理時にその履歴を呼び出して参照できるようにした。また、上記のＦの値が変化すると、変化する度にＥＥＰＲＯＭ内の値を更新していくので、ＥＥＰＲＯＭ内には常に最新のＦの値が格納されることになる。そして、ＥＥＰＲＯＭに格納されている履歴やＦの値は電源スイッチがオフになっても保持される。
【００３３】
なお、本発明は上記した形態に限定されるものではなく、本発明の要旨を逸脱しない範囲内において種々の変更を加えてもかまわない。
【符号の説明】
【００３４】
１  ガスコンロ
１０  電源スイッチ
１１  大バーナ
１１ａ  分岐管
１１ｂ  点火プラグ
１２  中バーナ
１３  小バーナ
２  点消火ボタン
３  コントローラ
４  モータ安全弁
４４  可動電磁石
４５  弁体
４６  バネ
５  火力調節装置
５１  火力調節部
５２  電磁安全弁
【図１】
2015014415.tif 000003
【図２】
2015014415.tif 000004
【図３】
2015014415.tif 000005
【図４】
2015014415.tif 000006